【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
印刷ジョブを処理する印刷装置と接続された情報処理装置であって、
相異なるバリアブルデータを指定されたソートキーでソートした順序で、前記相異なるバリアブルデータから生成した印刷ジョブを前記印刷装置に送信するジョブ送信手段と、
送信済みの印刷ジョブに対して追加する追加印刷ジョブを送信する場合、前記ジョブ送信手段によって送信された印刷ジョブの処理順序を示す情報と前記追加印刷ジョブの情報とを用いて、当該追加印刷ジョブの処理順序を特定するための順序情報を決定する決定手段とを備え、
前記ジョブ送信手段は、前記決定手段によって決定された順序情報と前記追加印刷ジョブとを前記印刷装置に送信することを特徴とする情報処理装置。
【請求項２】
前記順序情報は、前記印刷装置が、前記追加印刷ジョブを含む複数の印刷ジョブを格納したデバイスキューの処理順序を並び替えた際に、当該デバイスキューにおいて追加印刷ジョブが格納される位置を示すことを特徴とする請求項１に記載の情報処理装置。
【請求項３】
前記印刷装置からデバイスキューに登録された印刷ジョブの処理順序を示す情報を取得する取得手段を更に備え、
前記決定手段は、前記取得手段によって取得された印刷ジョブの処理順序を示す情報と追加印刷ジョブの情報とを用いて、当該追加印刷ジョブの処理順序を特定するための順序情報を決定することを特徴とする請求項１または２に記載の情報処理装置。
【請求項４】
前記印刷装置により印刷された印刷物の再印刷の必要性を示す再印刷情報を受信した場合、前記ジョブ送信手段は、再印刷の必要性が示されたジョブの識別情報に対応する印刷ジョブを前記追加印刷ジョブとして前記印刷装置に送信することを特徴とする請求項１乃至３のいずれか１項に記載の情報処理装置。
【請求項５】
前記バリアブルデータを指定されたソートキーでソートするソート手段と、
前記ソート手段によりソートされた複数のバリアブルデータから、当該ソートキーに係る情報が同一のバリアブルデータを用いて印刷ジョブを生成するジョブ生成手段と
を更に備えることを特徴とする請求項１乃至４のいずれか１項に記載の情報処理装置。
【請求項６】
前記バリアブルデータを指定されたソートキーでソートするソート手段と、前記ソート手段によりソートされた複数のバリアブルデータから、当該ソートキーに係る情報が同一のバリアブルデータを用いて印刷ジョブを生成するジョブ生成手段とを備える印刷データ生成装置から印刷ジョブを受信することを特徴とする請求項１乃至４のいずれか１項に記載の情報処理装置。
【請求項７】
前記ソートキーは、バリアブルデータに含まれるコンテンツ情報またはバリアブルデータに設定された印刷体裁情報のいずれかであることを特徴とする請求項５または６に記載の情報処理装置。
【請求項８】
前記ジョブ生成手段は、前記ソートキーに係る情報が同一の複数のバリアブルデータと、前記印刷装置の処理能力とを用いて、１つの印刷ジョブに含まれるバリアブルデータを特定し、当該特定されたバリアブルデータを用いて印刷ジョブを生成することを特徴とする請求項５または６に記載の情報処理装置。
【請求項９】
ジョブ送信手段と決定手段とを備え、印刷ジョブを処理する印刷装置と接続された情報処理装置による情報処理方法であって、
前記ジョブ送信手段が、相異なるバリアブルデータを指定されたソートキーでソートした順序で、前記相異なるバリアブルデータから生成した印刷ジョブを前記印刷装置に送信するジョブ送信工程と、
前記決定手段が、送信済みの印刷ジョブに対して追加する追加印刷ジョブを送信する場合、前記ジョブ送信工程によって送信された印刷ジョブの処理順序を示す情報と前記追加印刷ジョブの情報とを用いて、当該追加印刷ジョブの処理順序を特定するための順序情報を決定する決定工程とを備え、
前記ジョブ送信工程では、前記決定工程によって決定された順序情報と前記追加印刷ジョブとを前記印刷装置に送信することを特徴とする情報処理方法。
【請求項１０】
前記順序情報は、前記印刷装置が、前記追加印刷ジョブを含む複数の印刷ジョブを格納したデバイスキューの処理順序を並び替えた際に、当該デバイスキューにおいて追加印刷ジョブが格納される位置を示すことを特徴とする請求項９に記載の情報処理方法。
【請求項１１】
前記印刷装置からデバイスキューに登録された印刷ジョブの処理順序を示す情報を取得する取得工程を更に備え、
前記決定工程は、前記取得工程によって取得された印刷ジョブの処理順序を示す情報と追加印刷ジョブの情報とを用いて、当該追加印刷ジョブの処理順序を特定するための順序情報を決定することを特徴とする請求項９または１０に記載の情報処理方法。
【請求項１２】
前記印刷装置により印刷された印刷物の再印刷の必要性を示す再印刷情報を受信した場合、前記ジョブ送信工程では、再印刷の必要性が示されたジョブの識別情報に対応する印刷ジョブを前記追加印刷ジョブとして前記印刷装置に送信することを特徴とする請求項９乃至１１のいずれか１項に記載の情報処理方法。
【請求項１３】
ソート手段が、前記バリアブルデータを指定されたソートキーでソートするソート工程と、
ジョブ生成工程が、前記ソート工程によりソートされた複数のバリアブルデータから、当該ソートキーに係る情報が同一のバリアブルデータを用いて印刷ジョブを生成するジョブ生成工程と
を更に備えることを特徴とする請求項９乃至１２のいずれか１項に記載の情報処理方法。
【請求項１４】
前記バリアブルデータを指定されたソートキーでソートするソート手段と、前記ソート手段によりソートされた複数のバリアブルデータから、当該ソートキーに係る情報が同一のバリアブルデータを用いて印刷ジョブを生成するジョブ生成手段とを備える印刷データ生成装置から印刷ジョブを受信する工程を更に備えることを特徴とする請求項９乃至１３のいずれか１項に記載の情報処理方法。
【請求項１５】
前記ソートキーは、バリアブルデータに含まれるコンテンツ情報またはバリアブルデータに設定された印刷体裁情報のいずれかであることを特徴とする請求項１３または１４に記載の情報処理方法。
【請求項１６】
前記ジョブ生成工程では、前記ソートキーに係る情報が同一の複数のバリアブルデータと、前記印刷装置の処理能力とを用いて、１つの印刷ジョブに含まれるバリアブルデータを特定し、当該特定されたバリアブルデータを用いて印刷ジョブを生成することを特徴とする請求項１３または１４に記載の情報処理方法。
【請求項１７】
印刷ジョブを処理する印刷装置と接続されたコンピュータを、
相異なるバリアブルデータを指定されたソートキーでソートした順序で、前記相異なるバリアブルデータから生成した印刷ジョブを前記印刷装置に送信するジョブ送信手段と、
送信済みの印刷ジョブに対して追加する追加印刷ジョブを送信する場合、前記ジョブ送信手段によって送信された印刷ジョブの処理順序を示す情報と前記追加印刷ジョブの情報とを用いて、当該追加印刷ジョブの処理順序を特定するための順序情報を決定する決定手段として機能させるプログラムであって、
前記ジョブ送信手段は、前記決定手段によって決定された順序情報と前記追加印刷ジョブとを前記印刷装置に送信することを特徴とするプログラム。
【請求項１８】
前記順序情報は、前記印刷装置が、前記追加印刷ジョブを含む複数の印刷ジョブを格納したデバイスキューの処理順序を並び替えた際に、当該デバイスキューにおいて追加印刷ジョブが格納される位置を示すことを特徴とする請求項１７に記載のプログラム。
【請求項１９】
前記印刷装置からデバイスキューに登録された印刷ジョブの処理順序を示す情報を取得する取得手段として更に前記コンピュータを機能させ、
前記決定手段は、前記取得手段によって取得された印刷ジョブの処理順序を示す情報と追加印刷ジョブの情報とを用いて、当該追加印刷ジョブの処理順序を特定するための順序情報を決定することを特徴とする請求項１７または１８に記載のプログラム。
【請求項２０】
前記印刷装置により印刷された印刷物の再印刷の必要性を示す再印刷情報を受信した場合、前記ジョブ送信手段は、再印刷の必要性が示されたジョブの識別情報に対応する印刷ジョブを前記追加印刷ジョブとして前記印刷装置に送信することを特徴とする請求項１７乃至１９のいずれか１項に記載のプログラム。
【請求項２１】
前記バリアブルデータを指定されたソートキーでソートするソート手段と、
前記ソート手段によりソートされた複数のバリアブルデータから、当該ソートキーに係る情報が同一のバリアブルデータを用いて印刷ジョブを生成するジョブ生成手段と
して前記コンピュータを更に機能させることを特徴とする請求項１７乃至２０のいずれか１項に記載のプログラム。
【請求項２２】
前記バリアブルデータを指定されたソートキーでソートするソート手段と、前記ソート手段によりソートされた複数のバリアブルデータから、当該ソートキーに係る情報が同一のバリアブルデータを用いて印刷ジョブを生成するジョブ生成手段とを備える印刷データ生成装置から印刷ジョブを受信するよう前記コンピュータを更に機能させることを特徴とする請求項１７乃至２０のいずれか１項に記載のプログラム。
【請求項２３】
前記ソートキーは、バリアブルデータに含まれるコンテンツ情報またはバリアブルデータに設定された印刷体裁情報のいずれかであることを特徴とする請求項２１または２２に記載のプログラム。
【請求項２４】
前記ジョブ生成手段は、前記ソートキーに係る情報が同一の複数のバリアブルデータと、前記印刷装置の処理能力とを用いて、１つの印刷ジョブに含まれるバリアブルデータを特定し、当該特定されたバリアブルデータを用いて印刷ジョブを生成することを特徴とする請求項２１または２２に記載のプログラム。
【請求項２５】
請求項１乃至請求項８のいずれか１項に記載の情報処理装置と、
前記情報処理装置から送信される印刷ジョブを受信して処理する印刷装置と
を具備することを特徴とする印刷システム。